(57)【要約】【課題】エアゾール式製品のマウンティングカップに全体が着脱して再利用可能な肩カバーユニット構造について、着脱が可能な初期セット段階と不可の最終セット段階との選択的な設定をわずかな回動操作でまかなうことを目的とする。【解決手段】肩カバーユニット８はインナーリング５とこれに回動可能な形で取り付けられた肩カバー６とからなる。インナーリング５は、マウンティングカップ２に対する外側の嵌合部５ａと、その内側に形成されて、肩カバー６との相対的な回動操作に対応した回動操作規制用の周方向範囲を画定する中央筒状部５ｅと、を備える。肩カバー６は、回動操作の対象となる外筒状部６ａと、嵌合部５ａおよび中央筒状部５ｅの間の周方向空間域に配設されて、当該外筒状部の回動操作により、嵌合部５ａの径方向への移動を阻止する第一の回動位置およびこの移動が可能な第二の回動位置に選択的に設定される内筒状部６ｄと、を備えた。【選択図】図５
2019011094.tif 000002
【特許請求の範囲】
【請求項１】
エアゾール式製品のマウンティングカップに対して着脱可能な環状基部およびこれに回動可能な形で取り付けられた肩カバーのユニットからなり、内容物消尽後の容器本体廃棄などの時には前記ユニットの状態で取り外されて再利用される肩カバーユニット構造において、
前記環状基部は、
前記マウンティングカップに対して径方向への自弾性力により嵌合状態に設定される外側の嵌合部と、
前記嵌合部との連続態様でその内側に形成されて、前記肩カバーとの相対的な回動操作に対応した回動操作規制用の周方向範囲を画定する中央筒状部と、を備え、
前記肩カバーは、
前記回動操作の対象となる外側筒状部と、
前記外側筒状部との連続態様で前記嵌合部および前記中央筒状部の間の周方向空間域に配設されて、前記回動操作により、前記嵌合部の前記自弾性力に抗する径方向への移動が阻止される第一の回動位置および前記移動が可能な第二の回動位置に選択的に設定される内側筒状部と、を備えた、
ことを特徴とする肩カバーユニット構造。
【請求項２】
前記中央筒状部は、
その外周面に形成されて、前記回動操作に基づく前記第一の回動位置および前記第二の回動位置を含む前記周方向範囲を画定する回動操作規制部を有し、
前記内側筒状部は、
その外周面に形成されて、前記第一の回動位置のとき前記嵌合部の前記径方向への移動を阻止する移動阻止部と、
その内周面に形成されて、前記回動操作規制部との協働作用により前記周方向範囲を画定する被回動操作規制部と、を備えた、
ことを特徴とする請求項１記載の肩カバーユニット構造。
【請求項３】
前記回動操作規制部は、
前記中央筒状部の周方向に離間状態で複数形成され、
前記離間状態の空き外周面側に前記移動阻止部および前記回動操作規制部がセットされ、その後の前記回動操作により前記回動操作規制部へと移動する、
ことを特徴とする請求項２記載の肩カバーユニット構造。
【請求項４】
前記回動操作規制部は、
前記第二の回動位置に対応した初期縦壁状部と、
前記第一の回動位置に対応した最終縦壁状部と、
前記初期縦壁状部および前記最終縦壁状部の間の天井面と、を備え、
前記ユニットを設定するための前記回動操作により前記被回動操作規制部が入り込む周方向空間域である、
ことを特徴とする請求項２または３記載の肩カバーユニット構造。
【請求項５】
前記移動阻止部は、
前記嵌合部に当接する縦柱状部である、
ことを特徴とする請求項２乃至４のいずれかに記載の肩カバーユニット構造。
【請求項６】
前記被回動操作規制部は、
前記回動操作規制部の前記第一の回動位置に対応した部分に係合保持されて利用者にクリック感を与えるクリック作用部分を備えている、
ことを特徴とする請求項２乃至５のいずれかに記載の肩カバーユニット構造。
【請求項７】
請求項１乃至６のいずれかに記載の肩カバーユニット構造を備え、かつ、容器本体に噴射用ガスおよび内容物を収容した、
ことを特徴とするエアゾール式製品。
【発明の詳細な説明】
【技術分野】
【０００１】
本発明は、エアゾール式製品のマウンティングカップ側に取り付けられて装飾作用を呈し、内容物消尽後の容器本体廃棄などの時にはマウンティングカップ側から簡単に取り外されて再利用可能な肩カバーユニット構造に関する。
【０００２】
特にマウンティングカップに着脱可能なインナーリングおよびこれに回動可能な肩カバーからなり、肩カバーとインナーリングとの間の回動操作に応じて肩カバーユニット全体の着脱が可能な初期セット段階と、不可の最終セット段階を選択するものである。
【０００３】
本明細書では、後述の「環状基部」の一例として「インナーリング」の語を用いる。
また肩カバーとインナーリングとの間の回動操作は相対的なものであり、いずれを回動してもよいし、双方を回動してもよい。以下の記載では、単なる説明の便宜上、肩カバーのみの回動操作を原則とする。
【０００４】
初期セット段階では、インナーリングに形成されたマウンティングカップとの嵌合部が自弾性力に抗する態様で嵌合解除の方向に変形することを許容し、最終セット段階ではこの変形を阻止している。
【０００５】
取付け前の肩カバーユニットをマウンティングカップに嵌合させる場合は、先ず肩カバーユニットを初期セット段階に設定し、または設定されていることを確認してからユニット側嵌合部をアンダーカットなどに取り付ける。
【０００６】
マウンティングカップに取り付け済み、すなわち最終セット段階に設定済みの肩カバーユニットを取り外す場合は、先ず肩カバーユニットを初期セット段階に設定してから例えばこのユニット全体を引き上げる。
【背景技術】
【０００７】
従来、肩カバー着脱対象のインナーリングとマウンティングカップとの係合態様を、初期セットのインナーリングに対する肩カバー回動操作でインナーリング下端側をマウンティングカップのアンダーカットの方に変形させて、強嵌合状態に設定する肩カバー構造が提案されている（特許文献１参照）。
【０００８】
ここでは、インナーリングおよび肩カバーの対向周面のそれぞれに結合用のネジ部が形成され、初期セットのインナーリングに肩カバーをいれて回動操作する。
【０００９】
この回動操作にともない、肩カバーが、インナーリングとの螺合状態で下動してインナーリング下端側部分をマウンティングカップのアンダーカットの方に変形させ、このアンダーカットとインナーリングとの強嵌合状態を設定する。
【００１０】
このように特許文献１の肩カバー構造は、マウンティングカップのアンダーカットに軽く係合した状態のインナーリングに肩カバーを螺合させる態様になっている。
【００１１】
このインナーリングおよび肩カバーの螺合作用により、アンダーカットとインナーリングとが強嵌合状態に設定され、肩カバーはインナーリングに確実に取り付けられる。
【先行技術文献】
【特許文献】
【００１２】
【特許文献１】特開２００８−２４７４７０号公報
【発明の概要】
【発明が解決しようとする課題】
【００１３】
先行する前記肩カバー構造は、マウンティングカップと緩嵌合状態のインナーリングに肩カバーを双方の螺合状態にて下動させることにより、この緩嵌合状態が強嵌合へと変化し、かつ肩カバーがインナーリングにネジ結合により取り付けられる。
【００１４】
ここではインナーリングと肩カバーとのいわば螺合移動作用により、マウンティングカップとインナーリングとの最終セットでの強嵌合化を図り、肩カバーのインナーリングへの取付けの確実化を図っている。
【００１５】
そのため、協働するネジ作用部分をインナーリングおよび肩カバーそれぞれに形成しなければならず、これら構成要素の製作に手間がかかるという問題点があった。
【００１６】
また、肩カバーをインナーリングに取り付ける際の螺合操作は肩カバーの回動操作そのものであり、肩カバーを取り付けるための回動操作範囲も長めに設定せざるを得ず、肩カバー取付け操作がそれを周方向に複数回にわたって回すなど煩雑になるという問題点があった。
【００１７】
そこで本発明では、肩カバーをインナーリングに取り付けるときの螺合操作を捨象して新たな着想に基づく肩カバーユニット構造を提供する。
【００１８】
すなわち、マウンティングカップに着脱可能なインナーリングおよびこれに回動可能な肩カバーからなり、例えば肩カバーの回動操作に応じてユニット全体の着脱が可能な状態と、できない状態とを選択的に設定しえる肩カバーユニット構造である。
【００１９】
ユニット中の肩カバーの回動操作という螺合操作なしの簡単手順により、インナーリングのマウンティングカップ嵌合部が自弾性力に抗する態様で嵌合解除の方向に変形することを許容する初期セット段階と、これを阻止する最終セット段階とを選択できる。
【００２０】
本発明は、このようなエアゾール式製品の肩カバー構造の採用により、
(11)インナーリングおよび肩カバーのそれぞれにネジ作用部分を形成するといった製作工程の手間を省き、
(12)肩カバーユニット（インナーリング＋肩カバー＋噴射ボタン）をマウンティングカップへ着脱する場合の選択操作を、例えば肩カバーのわずか（３８度ほど）な回動操作でまかなう、
ことなどを目的とする。
【課題を解決するための手段】
【００２１】
本発明は、以上の課題を次のようにして解決する。
（１）エアゾール式製品のマウンティングカップ(例えば後述のマウンティングカップ２)に対して着脱可能な環状基部(例えば後述のインナーリング５)およびこれに回動可能な形で取り付けられた肩カバー(例えば後述の肩カバー６)のユニット（例えば後述の肩カバーユニット８）からなり、内容物消尽後の容器本体廃棄などの時には前記ユニットの状態で取り外されて再利用される肩カバーユニット構造において、
前記環状基部は、
前記マウンティングカップに対して径方向への自弾性力により嵌合状態に設定される外側の嵌合部（例えば後述の嵌合部５ａ）と、
前記嵌合部との連続態様でその内側に形成されて、前記肩カバーとの相対的な回動操作に対応した回動操作規制用の周方向範囲を画定する中央筒状部（例えば後述の中央筒状部５ｅ）と、を備え、
前記肩カバーは、
前記回動操作の対象となる外側筒状部（例えば後述の外筒状部６ａ）と、
前記外側筒状部との連続態様で前記嵌合部および前記中央筒状部の間の周方向空間域に配設されて、前記回動操作により、前記嵌合部の前記自弾性力に抗する径方向への移動が阻止される第一の回動位置および前記移動が可能な第二の回動位置に選択的に設定される内側筒状部（例えば後述の内筒状部６ｄ）と、を備えた、
構成態様のものを用いる。
（２）上記（１）において、
前記中央筒状部は、
その外周面に形成されて、前記回動操作に基づく前記第一の回動位置および前記第二の回動位置を含む前記周方向範囲を画定する回動操作規制部（例えば後述の周方向規制空間域５ｒ）を有し、
前記内側筒状部は、
その外周面に形成されて、前記第一の回動位置のとき前記嵌合部の前記径方向への移動を阻止する移動阻止部（例えば後述の縦柱状部６ｈ）と、
その内周面に形成されて、前記回動操作規制部との協働作用により前記周方向範囲を画定する被回動操作規制部（例えば後述の二連凸状部６ｊ）と、を備えた、
構成態様のものを用いる。
（３）上記（２）において、
前記回動操作規制部は、
前記中央筒状部の周方向に離間状態で複数形成され、
前記離間状態の空き外周面側に前記移動阻止部および前記回動操作規制部がセットされ、その後の前記回動操作により前記回動操作規制部へと移動する、
構成態様のものを用いる。
（４）上記（２），（３）において、
前記回動操作規制部は、
前記第二の回動位置に対応した初期縦壁状部（例えば後述の初期縦壁状部５ｊ）と、
前記第一の回動位置に対応した最終縦壁状部（例えば後述の最終縦壁状部５ｋ）と、
前記初期縦壁状部および前記最終縦壁状部の間の天井面（例えば後述の水平高天井面５ｍ，下り天井面５ｎ，水平低天井面５ｐ）と、を備え、
前記ユニットを設定するための前記回動操作により前記被回動操作規制部が入り込む周方向空間域である、
構成態様のものを用いる。
（５）上記（２），（３），（４）において、
前記移動阻止部は、
前記嵌合部に当接する縦柱状部（例えば後述の縦柱状部６ｈ）である、
構成態様のものを用いる。
（６）上記（２），（３），（４），（５）において、
前記被回動操作規制部は、
前記回動操作規制部の前記第一の回動位置に対応した部分（例えば後述の縦凸状部５ｑ）に係合保持されて利用者にクリック感を与えるクリック作用部分（例えば後述の二連凸状部６ｊ）を備えている、
構成態様のものを用いる。
【００２２】
このような構成からなる肩カバーユニット構造およびこれを用いたエアゾール式製品を本発明の対象としている。
【発明の効果】
【００２３】
本発明は、以上の構成をとることにより、
(21)インナーリングおよび肩カバーにネジ作用部分を形成する工程の省略化を図り、
(22)肩カバーユニット（インナーリング＋肩カバー＋噴射ボタン）をマウンティングカップへ着脱する場合の選択操作の簡単化を図る、
ことができる。
【図面の簡単な説明】
【００２４】
【図１】インナーリング，肩カバーおよび噴射ボタンの肩カバーユニットならびにインナーリングが取り付けられるマウンティングカップを示す説明図である。
【図２】図１のインナーリング，肩カバーおよび噴射ボタンそれぞれの斜視構成を示す説明図である。
【図３】図１の肩カバーユニットをマウンティングカップに取り付けただけの初期セット段階（肩カバーユニット取外し可）を示す説明図である。
【図４】図３のＡ−Ａ′線横断面を示す説明図である。
【図５】図３の初期セット段階の肩カバーをＲ方向に３８度（図４参照）回動操作した最終セット段階（肩カバーユニット取外し不可）を示す説明図である。
【図６】図５を９０度回した断面状態を示す説明図である。
【図７】図５のＣ−Ｃ′線横断面を示す説明図である。
【図８】（ａ）は図３の回動操作中心軸に対し等距離の縦断面を展開したＢ−Ｂ′線展開縦断面を示す説明図であり、（ｂ）は図５の回動操作中心軸に対し等距離の縦断面を展開したＤ−Ｄ′線展開縦断面を示す説明図である。
【発明を実施するための形態】
【００２５】
図１乃至図８を用いて本発明を実施するための形態を説明する。
【００２６】
なお、以下のアルファベット付き参照番号の構成要素（例えばアンダーカット２ａ）は原則として、当該参照番号の数字部分の構成要素（例えばマウンティングカップ２）の一部であることを示している。
【００２７】
図１〜図６において、
１は後述の内容物および噴射用ガスを収納したエアゾール式製品の周知の容器本体，
１ａは容器本体１の胴体上端縁部分に形成された巻締め部分，
２は容器本体１の巻締め部分１ａに取り付けられた周知のマウンティングカップ，
２ａはマウンティングカップ２の上端内側部分に形成された環状のアンダーカット，
２ｂはアンダーカット２ａの上側に連続形成された上広がりの縦環状曲面，
３はマウンティングカップ２の中央部分に係合保持され、噴射対象内容物の貯留域および通路域などとして作動する周知のハウジング，
４はその下側部分がハウジング３の内部空間域に収容され、上端側部分がマウンティングカップ２の中央開口部から上方に設定されて、内容物噴射操作により周知のバルブ作用を呈するステム，
をそれぞれ示している。
【００２８】
また、
５はマウンティングカップ２に上方から押し込まれることにより、そのアンダーカット２ａとの嵌合状態に設定される肩カバー着脱用のインナーリング（環状基部），
５ａは仮想的な外筒状部の一部を構成して周方向飛び飛びに起立状態で形成された計四個の嵌合部，
５ｂは各嵌合部５ａの外周面相当部分の下端側に形成されてアンダーカット２ａとの嵌合作用を呈する周方向の突状部分，
５ｃは隣同士の嵌合部５ａの間にこれと同じ起立状態で形成された計四個の非嵌合部，
５ｄは嵌合部５ａと非嵌合部５ｃとの間に設定された縦方向の切欠状部分，
５ｅは嵌合部５ａ，非嵌合部５ｃおよび切欠状部分５ｄそれぞれの下端部分から環状底面とともに連続形成された中央筒状部，
５ｆは中央筒状部５ｅの１８０度離間した反対外周面部分に凸部態様で形成されて、後述の肩カバー６とインナーリング５との相対的な周方向回動操作（例えば肩カバーの図示Ｒ方向・矢印方向への回動操作）の案内作用を呈するガイド部，
５ｇはガイド部５ｆの始まり部分であって、後述の肩カバー６をインナーリング５に取り付ける際の前記周方向回動操作の初期セット段階で後述の二連凸状部６ｊが通過して元の方向には容易に復帰できないバラケ防止状態を設定する回動戻り規制部（上りスロープ５ｈ＋初期縦壁状部５ｊ），
５ｈは回動戻り規制部５ｇの前記周方向回動操作におけるいわば上流側に形成された図示Ｒ方向の上りスロープ，
５ｊは上りスロープ５ｈの終端側部分から径方向に連続形成された回動戻り規制用の初期縦壁状部，
５ｋは後述の肩カバー６の前記周方向回動操作の最終セット段階で後述の二連凸状部６ｊが当接しえる最終縦壁状部，
５ｍは初期縦壁状部５ｊから図示Ｒ方向へ続く水平高天井面，
５ｎは水平高天井面５ｍの図示Ｒ方向端部から最終縦壁状部５ｋの方へ続く下り天井面，
５ｐは下り天井面５ｎの図示Ｒ方向端部から最終縦壁状部５ｋまで続く水平低天井面，
５ｑは水平低天井面５ｐから垂下態様で形成されて、後述の肩カバー６の二連凸状部６ｊとの係合作用により利用者へのクリック感を生成する縦凸状部，
５ｒは初期縦壁状部５ｊから最終縦壁状部５ｋまでの周方向に設定されて、後述の肩カバー６の回動操作範囲を特定する周方向規制空間域（回動操作規制部），
５ｓは上りスロープ５ｈの上端側に初期縦壁状部５ｊとは表裏の位置関係で、ステム４への取付け後の後述の噴射ボタン７の垂下片部７ｅと略同じ高さに形成された縦段部，
５ｔは中央筒状部５ｅの一部からなる対向部分であって、ガイド部５ｆが形成されていない一対の純円弧状周面部，
をそれぞれ示している。
【００２９】
また、
６はインナーリング５との間の周方向への相対的回動が可能であり、インナーリング５および後述の噴射ボタン７とのバラケルことのないユニット態様で保持される肩カバー，
６ａは後述の肩カバーユニット８の状態で外部空間域に露出する外筒状部，
６ｂは外筒状部６ａの外周面上端側に形成され、周知のキャップ(図示省略)が着脱自在な形で面一状態にて取り付けられる小径環状部，
６ｃは外筒状部６ａの上端部分から内方に連続形成されて肩カバーユニット状態のとき外筒状部６ａとともに外部空間域に露出する環状天面，
６ｄは環状天面６ｃの内端部分から下方に連続形成された内筒状部，
６ｅは内筒状部６ｄのいわば１８０度離間した反対外周面部分に形成された、横断面の中心角度が１００度からなる計二個の周方向切欠状部，
６ｆは周方向切欠状部６ｅそれぞれの下端面，
６ｇは周方向切欠状部６ｅの間にいわば残留設定された切欠状部なし態様の、計二個の周方向垂下部，
６ｈは周方向切欠状部６ｅおよび周方向垂下部６ｇの図示Ｒ方向（周方向）先端部側の順次９０度離間した部分に、前記周方向垂下部と同じ上下方向の長さ・位置態様で外周面および下端面６ｆの外側に突出する、すなわち下端面６ｆはそのまま残して外側に突出する状態で形成されて、それぞれ対応する嵌合部５ａの内側起立面を当接保持することによりその嵌合状態の解除を阻止する山状横断面の縦柱状部（移動阻止部），
６ｊは周方向垂下部６ｇに配設された周方向１８０度離間状態の一対の縦柱状部６ｈの下端裏側内周面にそれぞれ形成されて、縦凸状部５ｑとの係合およびその解除にともなうクリック作用などを呈する「山‐谷‐山」状横断面で弾性仕様の二連凸状部（被回動操作規制部，クリック作用用部分），
をそれぞれ示している。
【００３０】
また、
７はステム４に取り付けられて、容器本体１およびハウジング３から外部空間域へと連通する通路域を備え、かつ、前記ステムへの取付け前はインナーリング５および肩カバー６とのユニット状態に設定される押下げ形式の噴射ボタン，
７ａはステム４の通路空間域と連通する内容物通路部，
７ｂは内容物通路部７ａの下流端に形成された内容物噴射用の孔部，
７ｃは押下げ対象の操作天面，
７ｄは噴射ボタン７の外周面部分を構成する外側垂下筒状部，
７ｅは外側垂下筒状部７ｄの周方向１８０度離間した下端側に形成されて、肩カバー６に噴射ボタン７を入れて配設するときの内側への変形作用、およびこの配設後の変形復帰に基づく肩カバー６の下端面６ｆからの噴射ボタン抜け阻止作用を呈する弾性仕様の一対の垂下片部，
７ｆは垂下片部７ｅの一部を構成し、肩カバー６に噴射ボタン７を入れていくときに周方向切欠状部６ｅの上方の内周面との当接作用により内方へと変形する外側への上り態様で形成された下端テーパ面，
７ｇは下端テーパ面７ｆの上端部分から内側に連続形成されて、肩カバー６の下端面６ｆとの係合作用により、前記肩カバーに配設後の噴射ボタン７が不用意にこの肩カバーから外れてしまうのを阻止する周方向段部，
８はインナーリング５，肩カバー６および噴射ボタン７の三部材を組み込んでいわば一体化し、この状態でマウンティングカップ２およびステム４に着脱可能な形で取り付けられる肩カバーユニット（図１参照），
をそれぞれ示している。
【００３１】
ここで、インナーリング５，肩カバー６および噴射ボタン７は例えばポリプロピレン，ポリエチレン，ポリアセタール，ナイロン，ポリブチレンテレフタレートなどからなるプラスチック製のものである。
【００３２】
また、容器本体１，ハウジング３およびステム４は例えばプラスチック製，金属製のものである。マウンティングカップ２は例えば金属性のものである。
【００３３】
プラスチック製のインナーリング５，肩カバー６および噴射ボタン７はそれぞれ部分的に弾性変形可能である。例えばインナーリング５の嵌合部５ａ，突状部分５ｂや、肩カバー６の二連凸状部６ｊや、噴射ボタン７の垂下片部７ｅ，下端テーパ面７ｆ，周方向段部７ｇなどが該当しえる。
【００３４】
図示の肩カバーユニット構造の基本的特徴は、
(31)容器本体１のマウンティングカップ２に嵌合設定される前のインナーリング５に肩カバー６を取り付けて噴射ボタン７とともに肩カバーユニット８を構成し、
(32)この肩カバーユニット８において、肩カバー６を、その二連凸状部６ｊがインナーリング５の周方向規制空間域５ｒ（初期縦壁状部５ｊから最終縦壁状部５ｋまでの周方向空間域）の範囲内で相対回動できるように設定し、
(33)二連凸状部６ｊを、周方向規制空間域５ｒの初期縦壁状部５ｊの側に回動設定した場合、肩カバー６の計四個の縦柱状部６ｈはそれぞれインナーリング５の非嵌合部５ｃの内面を保持するだけであり、すなわちインナーリング５のマウンティングカップ２との嵌合部５ａの内側面部分を保持せず（図４参照）、
(34)二連凸状部６ｊを、周方向規制空間域５ｒの最終縦壁状部５ｋの側に回動設定した場合、肩カバー６の計四個の縦柱状部６ｈはそれぞれインナーリング５のマウンティングカップ２との嵌合部５ａの内側面部分を保持する（図７参照）、
ことなどである。
【００３５】
すなわち、嵌合部５ａが縦柱状部６ｈで保持されない上記（33）の状態では、マウンティングカップ２に対して肩カバーユニット８を上下動させるとき、この嵌合部（突状部分５ｂ）がアンダーカット２ａや縦環状曲面２ｂとの当接作用により内側へと変形する。
【００３６】
この嵌合部５ａの内側変形により、インナーリング５は、マウンティングカップ２の環状開口部の最も狭い部分（縦環状曲面２ｂの最内側対応部分）を上下動でき、これによりマウンティングカップ２に対する肩カバーユニット８の着脱が可能となる。
【００３７】
他方、嵌合部５ａが縦柱状部６ｈで保持される上記（34）の状態では、嵌合部内側変形がこの縦柱状部で阻止されるので、マウンティングカップ２に対しての肩カバーユニット８の上下動は生じえない。
【００３８】
すなわち、縦柱状部６ｈが嵌合部５ａの内周面を保持した図７において、容器側へセット済みの肩カバーユニット８がマウンティングカップ２から取り外されることはない。また、肩カバーユニット８をマウンティングカップ２へ取り付けることもできない。
【００３９】
容器側へ未セットの上記（34）の肩カバーユニット８をマウンティングカップ２へ取り付けるには、肩カバー６をインナーリング５に対して逆Ｒ方向に回動すればよい（図４参照）。この肩カバー６の回動操作は図４の初期縦壁状部５ｊにいたる位置までおこなわなくてもよい。縦柱状部６ｈの嵌合部５ａに対する保持作用が捨象されれば十分である。
【００４０】
なお、肩カバーユニット８を設定する場合、例えば先ず肩カバー６をインナーリング５にその周方向規制空間域５ｒでの周方向回動操作が可能な状態で取り付け、これに続き肩カバー６の内筒状部６ｄにその上方から噴射ボタン７を入れて抜けない形に設定する。
【００４１】
インナーリング５に肩カバー６を取り付けるには、
(41)肩カバー６をインナーリング５に、平面視で、周方向垂下部６ｇが純円弧状周面部５ｔに合致する形でその外側環状空間域に上方から入れ、
(42)肩カバー６をインナーリング５に対して図示Ｒ方向に回動操作し、この回動操作により、内筒状部６ｄの二連凸状部６ｊが、自弾性力に抗する態様での変形作用により中央筒状部５ｅの上りスロープ５ｈをのり超えて初期縦壁状部５ｊ側の周方向規制空間域５ｒに押し込まれる、
ようにすればよい。
【００４２】
次に、肩カバー６の内部に噴射ボタン７を配設するには、
(51)噴射ボタン７を内筒状部６ｄに、平面視で、垂下片部７ｅが周方向切欠状部６ｅに合致する形でその内側空間域に上方から入れ、
(52)内筒状部６ｄの内周面との当接作用により垂下片部７ｅを自弾性力に抗する態様で内方に変形させ、
(53)この変形態様の垂下片部７ｅを、その周方向段部７ｇが周方向切欠状部６ｅの下端面６ｆの下方に位置する、
ようにすればよい。
【００４３】
周方向規制空間域５ｒに押込まれた肩カバー６の二連凸状部６ｊは、この空間域内部を周方向に回動可能である。
【００４４】
二連凸状部６ｊの周方向位置に応じて、この二連凸状部のいわば裏側（内筒状部６ｄの外周面側）に形成済みの縦柱状部６ｈと、インナーリング５の嵌合部５ａおよび非嵌合部５ｃとの当接関係が変化する。
【００４５】
すなわち、縦柱状部６ｈはそれぞれ、
(61)内筒状部６ｄの二連凸状部６ｊが中央筒状部５ｅの上りスロープ５ｈを乗り超えただけの初期セット段階では、非嵌合部５ｃの内周面と当接し（図３，４参照)、
(62)上りスロープ５ｈを乗り越えてさらに略最終縦壁状部５ｋまで回動した最終セット段階では、嵌合部５ａの内周面と当接している（図５〜図７参照)。
【００４６】
肩カバーユニット８のマウンティングカップ２などに対する利用者などの着脱動作は、上記（61)の初期セット段階では可能、上記（62)の最終セット段階では略不可能となる。
【００４７】
それは、肩カバーユニット８のマウンティングカップ２に対する着脱動作、すなわち下動（着）および上動（脱）の過程で、嵌合部５ａが、いったん自弾性力に抗しながらその下端側をいわば軸として内方に変形することが必要となるからである。
【００４８】
上記（62)の最終セット段階では、図７で明示されるように、嵌合部５ａの内周面が肩カバー６の縦柱状部６ｈで当接保持されているので、この嵌合部は内方に変形できずアンダーカット２ａとの嵌合状態も解除できない。
【００４９】
また、このとき肩カバー６の二連凸状部６ｊの谷部分がインナーリング５の縦凸状部５ｑと係合しているので、インナーリング５および肩カバー６が不用意に回動して肩カバーユニット８の取外し可能状態にシフトすることは生じにくい（図７参照）。
【００５０】
上記（62)の最終セット段階にセットされた肩カバーユニット８を取り外すには、先ず肩カバー６を、インナーリング５と一体の容器本体１に対して逆Ｒ方向に回動操作する。
【００５１】
この回動操作により、肩カバー６の縦柱状部６ｈはそれまでの嵌合部５ａとの当接位置から非嵌合部５ｃとの当接位置にシフトする。シフト後の肩カバーユニット８は、容器本体１から上方へ移動させると上述のように嵌合部５ａが内方変形し、これとアンダーカット２ａとの嵌合状態が解除されて、取外し状態となる。
【００５２】
なお、肩カバー６の逆Ｒ方向への回動操作は勿論インナーリング５との相対的な動きであり、このとき肩カバーおよびインナーリングが供回りしないことが絶対的な必要条件である。
【００５３】
図示の肩カバーユニット構造では、アンダーカット２ａと嵌合部５ａとの強嵌合状態に加え、インナーリング５の中央筒状部５ｅの内周面部分とこれに対向するマウンティングカップ２の中央外周面との上下方向長範囲にわたる強係合状態も設定している。
【００５４】
そして仮に肩カバー６およびインナーリング５の供回りが生じた場合には、前記肩カバーを把持した状態で噴射ボタン７をＲ方向に回動操作して、その垂下片部７ｅで前記インナーリングの縦段部５ｓを押して同方向に回動させればよい。
【００５５】
このいわば肩カバー固定状態での噴射ボタン７およびインナーリング５の一体回動にともない、縦柱状部６ｈと嵌合部５ａおよび非嵌合部５ｃとの位置関係は上記(61)の初期セット段階と同じ状態にシフトする。
【００５６】
図１および図２は、マウンティングカップ２へ取り付けられる前の肩カバーユニット８の関連構成などを示している。
【００５７】
図１の上下位置関係は肩カバー６を基準にしている。
噴射ボタン７はその下端面（垂下片部７ｅが形成されていない部分）がインナーリング５のガイド部５ｆの上端面に当接保持され、また、インナーリング５はその水平高天井面５ｍが肩カバー６の二連凸状部６ｊに係合保持されている。
【００５８】
図３，図４および図８(a)は、肩カバーユニット８をマウンティングカップ２に取り付けて、まだ取外し可の初期セット段階を示す説明図である。
【００５９】
このとき、肩カバー６の縦柱状部６ｈはインナーリング５の非嵌合部５ｃの内周面に当接し、嵌合部５ａの内周面には当接していない。そのため肩カバーユニット８を図示の状態から上動させると、嵌合部５ａは自弾性力に抗する態様で内方変形してアンダーカット２ａとの嵌合状態がいわば解除される。
【００６０】
図５，図６，図７および図８(b)は、初期セット段階の肩カバー６を回動操作して肩カバーユニット８の取外し不可の状態に設定された最終セット段階を示す説明図である。
【００６１】
このとき、肩カバー６の縦柱状部６ｈはインナーリング５の嵌合部５ａの内周面に当接する。そのため肩カバーユニット８を図示の状態から上動させようとしても、嵌合部５ａは自弾性力に抗する態様で内方変形できずにアンダーカット２ａとの嵌合状態は解除されない。
【００６２】
本発明のエアゾール式製品の肩カバー構造が図示の実施形態に限定されるものでないことは勿論であり例えば、
(71)図示の上下動タイプの噴射ボタン７に代えて回動などの各種タイプの噴射ボタンを用いる、
(72)肩カバーユニット構造の協働関係にたつ対応構成要素の凹凸関係（例えば縦凸状部５ｑおよび二連凸状部６ｊの谷部分）を逆にする、
(73)インナーリング５をマウンティングカップ２の外側端部（巻締め部分１ａの端部側のアンダーカット）に外嵌合させる、
ようにしてもよい。
【００６３】
本発明が適用されるエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００６４】
容器本体に収容される内容物としては、液状，クリーム状，ゲル状など種々の形態のものを用いる。内容物に配合される成分は例えば、粉状物，油成分，アルコール類，界面活性剤，高分子化合物，各用途に応じた有効成分，水などである。
【００６５】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００６６】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００６７】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００６８】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００６９】
高分子化合物としては、メチルセルロース，ゼラチン，デンプン，カゼイン，ヒドロキシエチルセルロース，キサンタンガム，カルボキシビニルポリマーなどを用いる。
【００７０】
各用途に応じた有効成分としては、サリチル酸メチル，インドメタシンなどの消炎鎮痛剤、安息香酸ナトリウム，クレゾールなどの除菌剤、ピレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００７１】
さらに、上記内容物以外の、懸濁剤，紫外線吸収剤，乳化剤，保湿剤，酸化防止剤、金属イオン封鎖剤なども用いることができる。
【００７２】
エアゾール式製品における内容物噴射用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００７３】
１：容器本体
１ａ：巻締め部分
２：マウンティングカップ
２ａ：環状のアンダーカット
２ｂ：上広がりの縦環状曲面
３：ハウジング
４：ステム
【００７４】
５：肩カバー着脱用のインナーリング（環状基部）
５ａ：計四個の嵌合部
５ｂ：周方向の突状部分
５ｃ：計四個の非嵌合部
５ｄ：縦方向の切欠状部分
５ｅ：中央筒状部
５ｆ：ガイド部
５ｇ：回動戻り規制部（５ｈ＋５ｊ）
５ｈ：上りスロープ
５ｊ：初期縦壁状部
５ｋ：最終縦壁状部
５ｍ：水平高天井面
５ｎ：下り天井面
５ｐ：水平低天井面
５ｑ：縦凸状部
５ｒ：周方向規制空間域
５ｓ：縦段部
５ｔ：一対の純円弧状周面部
【００７５】
６：肩カバー
６ａ：外筒状部
６ｂ：小径環状部
６ｃ：環状天面
６ｄ：内筒状部
６ｅ：計二個の周方向切欠状部
６ｆ：下端面
６ｇ：計二個の周方向垂下部
６ｈ：山状横断面の縦柱状部
６ｊ：「山‐谷‐山」状横断面の二連凸状部
【００７６】
７：押下げ形式の噴射ボタン
７ａ：内容物通路部
７ｂ：内容物噴射用の孔部
７ｃ：操作天面
７ｄ：外側垂下筒状部
７ｅ：一対の垂下片部
７ｆ：下端テーパ面
７ｇ：周方向段部
８：肩カバーユニット（５＋６＋７）
【図１】
2019011094.tif 000003
【図２】
2019011094.tif 000004
【図３】
2019011094.tif 000005
【図４】
2019011094.tif 000006
【図５】
2019011094.tif 000007
【図６】
2019011094.tif 000008
【図７】
2019011094.tif 000009
【図８】
2019011094.tif 000010